(57)【要約】【課題】廃棄される離型シートが１枚のみであって、しかも、離型シートの剥離作業を行い易い粘着シートを提供する。【解決手段】粘着面１０ａを１枚の離型シート２０で覆ってなる粘着シート。離型シート２０は、粘着面に接する内表面とは反対側の外表面に、引き剥がし用のタブ３０を備えている。引剥し用タブ３０は、シート状材料を２つに折り畳んで構成されていて、第１折畳片が離型シートの外表面に固定されていて、第２折畳片がその上に折り返されている。第２折畳片は、第１折畳片よりも長く構成されていて、第１折畳片を超えて延在する部分３２ａが着色されている。使用者は、この着色部分を摘んで、簡単に離型シート２０を捲り取ることができる。【選択図】図２
2007215827.tif 000002
【特許請求の範囲】
【請求項１】
粘着面（１０ａ）を１枚の離型シート（２０）で覆ってなる粘着シートであって、
離型シート（２０）は、粘着面に接する内表面とは反対側の外表面に、引き剥がし用のタブ（３０、６０）を取り付けて構成されていて、
当該引き剥がし用のタブ（３０、６０）は、その一部分のみが離型シート外表面に固定されていることを特徴とする、粘着シート。
【請求項２】
上記引き剥がし用のタブ（３０）は、シート材料を２つに折り畳んで構成されていて、第１折畳片（３１）が離型シートの外表面に固定されていて、第２折畳片（３２）が離型シート（２０）の外形輪郭内に納まる位置に折り返されていることを特徴とする、請求項１記載の粘着シート。
【請求項３】
上記引き剥がし用のタブ（３０）は、第１折畳片（３１）よりも第２折畳片（３２）の方が長くなるように折り畳まれていて、
第２折畳片（３２）は、第１折畳片（３１）を超えて延在する部分（３２ａ）が着色されていることを特徴とする、請求項２記載の粘着シート。
【請求項４】
直角に交差する第１辺（１１）および第２辺（１２）を含む矩形形状をなす、請求項２または３記載の粘着シートであって、
上記離型シート（２０）も、粘着シートの第１辺（１１）および第２辺（１２）に重なる第１辺（２１）および第２辺（２２）を含む矩形形状をなしており、
折り畳まれた上記引き剥がし用のタブ（３０）は、その折畳線（３０ａ）を離型シートの第１辺（２１）よりも内側に位置させた状態で、離型シートの第２辺（２２）に沿って延在していることを特徴とする、粘着シート。
【請求項５】
上記引き剥がし用のタブ（６０）は、その端部が離型シート（２０）の外形輪郭を超えて突出する平坦な１枚のシート材から構成されていることを特徴とする、請求項１記載の粘着シート。
【請求項６】
上記シート材の突出部（６０ａ）が着色されていることを特徴とする、請求項５記載の粘着シート。
【発明の詳細な説明】
【技術分野】
【０００１】
本発明は、粘着面に離型シートを備えてなる、救急絆創膏や外用貼付剤等の粘着シートに関する。
【背景技術】
【０００２】
上記粘着シートは、使用時に離型シートを引き剥がして粘着面を露出させ、これを患部に貼り付ける。その際、粘着面が単に１枚の離型シートで覆われていると捲り難いので、粘着面の中央でオーバーラップする２枚の離型シートを設けて、離型シートを捲り易く構成したものが知られている（特許文献１）。
【０００３】
ところで、離型シートは粘着面から引き剥がされた後で廃棄されるものであるが、２枚の離型シートを備える粘着シートの場合、引き剥がした後では、別々に分離した２枚の離型シートが存在することとなるので、これを廃棄するのが面倒であったり、手間取ったりするといった問題がある。
【０００４】
【特許文献１】特開２００２−６５７２６号公報
【発明の開示】
【発明が解決しようとする課題】
【０００５】
上記従来の事情に鑑み、本発明の目的は、廃棄される離型シートが１枚のみであって、しかも、離型シートの剥離作業を行い易い粘着シートを提供することである。
【課題を解決するための手段】
【０００６】
本発明は、上記要望に応えるべく創案されたものであって、以下の特徴を備えた粘着シートを提供するものである。
すなわち、本発明の粘着シートは、粘着面を１枚の離型シートで覆ってなる。そして、離型シートは、粘着面に接する内表面とは反対側の外表面に、引き剥がし用のタブを取り付けて構成されている。当該引き剥がし用のタブは、その一部分のみが離型シート外表面に固定されている（他の部分は固定されていない）。
【０００７】
本発明の粘着シートにおいて、上記引剥し用タブは、シート材料を２つに折り畳んで構成されていてもよい。その場合には、第１折畳片が離型シートの外表面に固定され、第２折畳片が離型シートの外形輪郭内に納まる位置に折り返されて構成される。
【０００８】
また、上記引剥し用タブは、その端部が離型シートの外形輪郭を超えて突出する、折り畳まれていない平坦な１枚のシート材から構成してもよい。この場合には、少なくとも当該突出部分は、離型シート外表面に固定されておらず、他の部分が離型シート外表面に固定される。
【発明の効果】
【０００９】
本発明の粘着シートにおいては、粘着面を覆う離型シートが１枚のみであるため、当該離型シートを捲り取った後における廃棄作業が簡単となる。しかも、離型シートの外表面には、捲り取るのを容易にするために、引剥し用タブが固定されている。
すなわち、引剥し用タブは、その一部分が離型シート外表面に固定されていて、他の部分は離型シート外表面には固定されていない（つまり、離型シートの外表面に載っているに過ぎない、あるいは離型シートの外形輪郭を超えて突出している）。したがって、この固定されていない部分を摘んで、簡単に離型シートを捲り取ることができる。
【００１０】
なお、引剥し用タブを２つに折り畳んで構成する場合には、一方の折畳片を他方の折畳片よりも長く構成し、その部分に着色を施すことが好ましい。また、引剥し用タブを折り畳まない平坦な１枚のシート材から構成する場合には、離型シートの外形輪郭を超えて突出する当該シート材の突出部を着色することが好ましい。
着色した部分が目印となって、使用者は、より簡単にこの部分を摘んで、離型シートを捲り取ることができる。
【発明を実施するための最良の形態】
【００１１】
本発明の実施形態を、添付の図面を参照して、以下に詳細に説明する。
【００１２】
≪第１実施形態（図１〜図３）≫
図１は、本発明の第１実施形態に係る粘着シート１０を真上から見た平面図である。図２は、引剥し用タブ３０を摘んで、離型シート２０を捲り取っている状態を示す斜視図である。
【００１３】
粘着シート１０は、その片面が薬剤等を含有する粘着面１０ａとされている。本発明においては、この粘着面１０ａを１枚のフィルム状の離型シート２０で覆っている。離型シート２０が１枚のみであるから、これを捲り取った後での廃棄が簡単かつ便利なものとなる。
【００１４】
離型シート２０は、粘着面１０ａに接する内表面とは反対側の外表面に、引き剥がし用のタブ３０を備えている。この引剥し用タブ３０を摘んで捲り取ることで、離型シート２０を簡単に引き剥がすことができる。
【００１５】
なお、粘着シートおよび薬剤等は一般的に知られたものであり、離型シート２０についても、それ自体は、ポリプロピレン等の材料から製造される一般的なものである。
【００１６】
≪引剥し用タブの構成≫
本発明においては、引剥し用タブは、その一部分のみが離型シート外表面に固定されていて、他の部分が離型シートに固定されていなければ足りる。そのように構成されている限り、固定されていないタブ部分を摘んで、離型シートを簡単に捲り取ることができる。
そのような条件が満足される限り、引剥し用タブの具体的な構成が特定のものに限定されるものではない。第１実施形態では、そのような引剥し用タブの一例として、以下に説明するような構成を採用している。
【００１７】
図３は、粘着シート１０の側面図であって、引剥し用タブ３０が固定された離型シート２０上の箇所を部分的に拡大して示している。図２および図３から分かるように、引剥し用タブ３０は、細長い矩形の一枚のシート材を、折畳線３０ａにおいて２つに折り畳んで構成されている。
図３において下方側に位置する第１折畳片３１において、引剥し用タブ３０は、適当な接着剤等により、離型シート２０の外表面に固定されている。図３において上方側に位置する第２折畳片３２は、第１折畳片３１よりも長く構成されていて、その一部分３２ａが第１折畳片３１を超えて、図３中右側へと突出している。この突出した部分３２ａを摘み上げることで、離型シート２０を粘着シート１０から捲り取ることができる。
【００１８】
なお、この突出部３２ａには、例えば青色等の適当な着色を施すことが好ましい。着色した場合には、この部分が目印となって、使用者は、さらに簡単にその部分を摘み上げることができる。
【００１９】
≪粘着シートの形状≫
図示した粘着シート１０は、直交する２辺１１、１２を含む矩形形状としているが、本発明においては、粘着シート１０の形状は、矩形以外にも、円形、楕円形、多角形、その他任意のものを採用できる。ただ、矩形形状の粘着シート１０は、製造ラインにおいて大量生産するのに適した形状である。
また図示の例では、離型シート２０は、粘着シート１０とほぼ同一形状をなしており、直交する２辺２１、２２を含む矩形形状とされている。したがって、図１においては、粘着シート１０の第１辺１１、第２辺１２は、それぞれ、離型シート２０の第１辺２１、第２辺２２と重なって現れる。
【００２０】
≪引剥し用タブの位置≫
図示したような矩形形状の粘着シート１０および離型シート２０を採用した場合には、引剥し用タブ３０の折畳線３０ａは、離型シートの第１辺２１よりも内側にズラして配置することが好ましい（図１参照）。もし仮に、折畳線３０ａを第１辺２１に沿って配置すると、製造ライン中での第１辺２１に沿う切断工程において、引剥し用タブ３０も一緒に切断され得る。そこで、これを防止するために、図示したように、引剥し用タブ３０の折畳線３０ａを、離型シート２０の第１辺２１よりも内側にズラして配置することが好ましい。
【００２１】
一方、引剥し用タブ３０は、その側辺については、離型シート２０の第２辺２２に沿って延在していることが好ましい。
このような配置にすると、上記切断工程で切断される以前の状態において、図１中粘着シート１０よりも上方側に隣接する他の粘着シート（図示せず）にまで渡って延在する１つの引剥し用タブ３０を離型シート２０に固定しておき、その後、第２辺２２に沿って切断することで、当該不図示の粘着シートに対しても引剥し用タブ３０を同時に形成できるというメリットがある。
【００２２】
なお、図１から分かるように、引剥し用タブ３０は、その全体が離型シート２０の外形輪郭内に納まっている（その外方へ飛び出していない）。すなわち、第１折畳片３１の上に折り畳まれた第２折畳片３２は、離型シート２０の外形輪郭内に納まる位置に折り返されている。
このような構成を採用すると、複数の粘着シート１０を積み重ねた場合に、その積層体の側方にヒラヒラと突出するタブ部分が存在することがない。つまり、複数の粘着シートを積み重ねて袋体にパッケージするのに好都合となる。
【００２３】
≪第２実施形態（図４）≫
図４は、本発明の第２実施形態に係る粘着シートを示す斜視図である。第２実施形態においても、第１実施形態と同様に、粘着シート１０が１枚の離型シート２０で覆われており、この離型シート２０に引剥し用タブが固定されている。
第２実施形態においては、引剥し用タブ６０の具体的構成のみが第１実施形態と異なるので、その点についてのみ説明する。
【００２４】
引剥し用タブ６０は、ストリップ状の平坦な１枚のシート材料から構成されていて、第１実施形態の場合のように折り畳まれてはいない。この引剥し用タブ６０は、その一端が離型シート２０の外形輪郭を超えて外方に突出している。したがって、この突出部６０ａを摘んで、離型シート２０を簡単に捲り取ることができる。
【００２５】
なお、この突出部６０ａには、例えば青色等の適当な着色を施すことが好ましい。着色した場合には、この部分が目印となって、使用者は、さらに簡単にその部分を摘み上げることができる。
【００２６】
なお、第２実施形態の粘着シートにおいては、引剥し用タブ６０の一部が離型シート２０の外形輪郭を超えて外部に突出しているので、この突出量があまりに大きいとパッケージングに不利となることも考えられる。しかし、突出量を適度に抑えれば、それ程問題とはならないし、折り畳まない平坦なシート状の引剥し用タブ６０は、その構成が単純で製造コストを抑えることができるというメリットがある。
【図面の簡単な説明】
【００２７】
【図１】本発明の第１実施形態に係る粘着シートを真上から示す平面図。
【図２】図１の粘着シートの使用方法を説明する斜視図。
【図３】図１の粘着シートの部分拡大側面図。
【図４】本発明の第２実施形態に係る粘着シートを説明する斜視図。
【符号の説明】
【００２８】
１０  粘着シート
１０ａ  粘着面
１１  粘着シートの第１辺
１２  粘着シートの第２辺
２０  離型シート
２１  離型シートの第１辺
２２  離型シートの第２辺
３０  引剥し用タブ
３０ａ  折畳線
３１  第１折畳片
３２  第２折畳片
３２ａ  着色部（突出部）
６０  引剥し用タブ
６０ａ  着色部（突出部）
【図１】
2007215827.tif 000003
【図２】
2007215827.tif 000004
【図３】
2007215827.tif 000005
【図４】
2007215827.tif 000006